(57)【要約】      （修正有）【課題】ソレノイドを長時間通電状態としなくても払出状態に保持できるようにし、ソレノイドの過熱を防止すると共に、その制御が容易な遊技媒体払出装置を提供する。【解決手段】ソレノイド１１を励磁することによりプランジャー１２が進出動又は後退動し、該プランジャー１２により可動部材３を可動させることで流下通路２にある遊技媒体８が流下するようにした遊技機の遊技媒体払出装置であって、ラッチ機構１０は、ソレノイド１１を励磁させプランジャー１２をバネ部材１５の弾性に抗して進出動又は後退動させる度に該プランジャー１２に設けられた回転起動体３０が回転子３５を一方向に所定角度ずつ回転させ、ソレノイド１１が消磁された後の該回転子の回転状態に従い該プランジャー１２をバネ部材１５の弾性に抗して進出状態又は後退状態に機械的に保持する。【選択図】図１
2008284221.tif 000002
【特許請求の範囲】
【請求項１】
ソレノイドを励磁することによりプランジャーが進出動又は後退動し、該プランジャーにより可動部材を可動させることで流下通路にある遊技媒体が流下するようにした遊技機の遊技媒体払出装置であって、ソレノイドが消磁された後も該プランジャーがバネ部材の弾性に抗して進出状態又は後退状態に機械的に保持されるようにするラッチ機構を設け、該ラッチ機構による該プランジャーの保持は該ソレノイドを再励磁した際に解除され該プランジャーが前記バネ部材の弾性により復帰するように構成したことを特徴とする遊技機の遊技媒体払出装置。
【請求項２】
請求項１に記載のラッチ機構は、ソレノイドを励磁させプランジャーをバネ部材の弾性に抗して進出動又は後退動させる度に該プランジャーに設けられた起動カム体が回転子を一方向に所定角度ずつ回転させ、ソレノイドが消磁された後の該回転子の回転状態に従い該プランジャーをバネ部材の弾性に抗して進出状態又は後退状態に機械的に保持するものであることを特徴とする遊技機の遊技媒体払出装置。
【請求項３】
請求項１に記載のラッチ機構は、プランジャーの外周に実質的に固定状に設けた環状の起動カム体と、プランジャーの外周に回転自在に設けられた環状の回転子と、該起動カム体および該回転子を支持する筒状部とからなり、前記起動カム体の前記回転子との対向面に所定ピッチ角で山部と谷部がジグザグ状に連なる菊花状凹凸面を形成し、前記筒状部はスリットを前記菊花状凹凸面のピッチ角の４倍のピッチ角で形成することにより円弧状に分断され、分断された各円弧状部の一端縁に鋸歯状斜面を夫々２ピッチ分形成し、前記回転子の外周縁に前記スリットに遊嵌または前記鋸歯状斜面に当接し得る係合片を突設し、バネ部材の弾性により該回転子を前記起動カム体の菊花状凹凸面に圧接させてなり、ソレノイドを励磁させプランジャーがバネ部材の弾性に抗して進出動又は後退動する度に前記菊花状凹凸面が回転子を押圧することで該回転子を回転させると共に、回転した該回転子の係合片がソレノイドを消磁させた際にバネ部材の弾性により前記鋸歯状斜面に圧接されることで該回転子が該鋸歯状斜面に沿ってさらに同方向に回転し、かくしてソレノイドの励磁・消磁が繰り返される毎に該回転子の回転状態に従い１回置きに前記係合片が前記スリットに遊嵌したり円弧状部の一端縁に留まることでプランジャーがバネ部材の弾性に抗して進出状態又は後退状態に機械的に保持されるようにしたものであることを特徴とする遊技機の遊技媒体払出装置。
【発明の詳細な説明】
【技術分野】
【０００１】
本発明は、ソレノイドを作動させることによりパチンコ球のような遊技媒体が払い出されるように構成した遊技機の遊技媒体払出装置に関するものである。
【背景技術】
【０００２】
パチンコ機、スロットマシンのような遊技機において、ソレノイドを励磁・消磁させることにより、遊技機前面にパチンコ球、メダル等の遊技媒体が払い出されるように構成した遊技媒体払出装置は、下記特許文献１、２等により知られている。
ところで、このソレノイドは、例えば多数の遊技媒体を払い出すために、長時間（例えば数十秒）通電していると発熱し、吸引力が弱くなると同時に、周辺の機能部品等を熱変形させ、故障や発火の原因となることがあった。
【０００３】
そこで、下記特許文献３に示された遊技媒体供出装置では、第１の通電状態にするとプランジャーを第１の位置から第２の位置へ変位させる一方、第２の通電状態にするとプランジャーを第２の位置から第１の位置へ変位させる構造の自己保持型ソレノイド（キープソレノイドとも呼ばれる）を使用することにより、電源をオフしてもプランジャーが吸着状態に保持されるようにし、長時間通電の必要がないようにしている。
【特許文献１】特開２００３−２６５７９２号公報
【特許文献２】特開２００３−１３５７８０号公報
【特許文献３】特開２００３−１９０５４１号公報
【発明の開示】
【発明が解決しようとする課題】
【０００４】
しかしながら、上記自己保持型ソレノイドのような特殊なソレノイドを使用すると製造コストが高くなると共に、従来の普通のソレノイドのように単純なオン・オフ制御により作動させられないので、制御系が複雑になり、制御回路を変更することが余儀なくされるという問題があった。
そこで、本発明は、長時間通電状態としなくても多数の遊技媒体を払い出すことができると共に、その制御が容易な遊技媒体払出装置を提供しようとするものである。
【課題を解決するための手段】
【０００５】
そのために本発明は、ソレノイドを励磁することによりプランジャーが進出動又は後退動し、該プランジャーにより可動部材を可動させることで流下通路にある遊技媒体が流下するようにした遊技機の遊技媒体払出装置であって、ソレノイドが消磁された後も該プランジャーがバネ部材の弾性に抗して進出状態又は後退状態に機械的に保持されるようにするラッチ機構を設け、該ラッチ機構による該プランジャーの保持は該ソレノイドを再励磁した際に解除され該プランジャーが前記バネ部材の弾性により復帰するように構成したことを特徴とする。
また本発明は上記遊技媒体払出装置において、ラッチ機構は、ソレノイドを励磁させプランジャーをバネ部材の弾性に抗して進出動又は後退動させる度に該プランジャーに設けられた起動カム体が回転子を一方向に所定角度ずつ回転させ、ソレノイドが消磁された後の該回転子の回転状態に従い該プランジャーをバネ部材の弾性に抗して進出状態又は後退状態に機械的に保持するものであることを特徴とする。
また本発明は上記遊技媒体払出装置において、ラッチ機構は、プランジャーの外周に実質的に固定状に設けた環状の起動カム体と、プランジャーの外周に回転自在に設けられた環状の回転子と、該起動カム体および該回転子を支持する筒状部とからなり、前記起動カム体の前記回転子との対向面に所定ピッチ角で山部と谷部がジグザグ状に連なる菊花状凹凸面を形成し、前記筒状部はスリットを前記菊花状凹凸面のピッチ角の４倍のピッチ角で形成することにより円弧状に分断され、分断された各円弧状部の一端縁に鋸歯状斜面を夫々２ピッチ分形成し、前記回転子の外周縁に前記スリットに遊嵌または前記鋸歯状斜面に当接し得る係合片を突設し、バネ部材の弾性により該回転子を前記起動カム体の菊花状凹凸面に圧接させてなり、ソレノイドを励磁させプランジャーがバネ部材の弾性に抗して進出動又は後退動する度に前記菊花状凹凸面が回転子を押圧することで該回転子を回転させると共に、回転した該回転子の係合片がソレノイドを消磁させた際にバネ部材の弾性により前記鋸歯状斜面に圧接されることで該回転子が該鋸歯状斜面に沿ってさらに同方向に回転し、かくしてソレノイドの励磁・消磁が繰り返される毎に該回転子の回転状態に従い１回置きに前記係合片が前記スリットに遊嵌したり円弧状部の一端縁に留まることでプランジャーがバネ部材の弾性に抗して進出状態又は後退状態に機械的に保持されるようにしたものであることを特徴とする。
【発明の効果】
【０００６】
ソレノイドに電流を短時間流すだけで遊技媒体の流下通路を開状態に保つことができるとともに、該ソレノイドに電流を再度短時間流すことで該流下通路を閉状態に戻すことができる。このため、長時間通電の必要がなく、長時間通電によりソレノイドが過熱するのを防止することができる。また、従来から遊技機に多用されている普通のソレノイドを使用できるため、製造コストを軽減させると共に電気的制御も容易になる。
【発明を実施するための最良の形態】
【０００７】
次に本発明の実施形態を図面に従い説明する。図１はパチンコ球を遊技媒体とする遊技機の遊技媒体払出装置の縦断面図、図２はその作動状態図である。図中、１はパチンコ球８が自重で流下し得るようなクランク形に流下通路２を形成した組付ケースである。３は可動部材で、該可動部材は、図３にも示したように、両側板部７ａ，７ｂの外側に支軸４ａ，４ｂが突設され、該支軸４ａ，４ｂにより組付ケース内に回転自在に枢着され、該可動部材には該可動部材が回転することにより該流下通路２に出没し得る嘴形先端部５が形成されていると共に、両側板部７ａ，７ｂの内側面に突軸６ａ，６ｂが一体に形成されている。なお、９は該流下通路２を流下するパチンコ球８を計数するために設けられた球検出センサである。
【０００８】
また、組付ケース１内にはラッチ機構１０を備えたソレノイド１１が設けられる。次にこのラッチ機構１０の構成を図４、図５の要部分解斜視図に従い説明する。同図において、２０はラッチ機構１０およびソレノイド１１が組み付けられ、組付ケース１内にビス２１により固着される機枠体である。プランジャー１２はソレノイド１１を励磁することにより該ソレノイドの芯孔中に磁力により吸引されるように強磁性金属材により軸状に形成され、該プランジャーの略中間部にフランジ１３が一体に形成されている。そして、プランジャー１２の先端部に一対の鍔部１４，１４が形成され、該鍔部の間隔に前記突軸６ａ，６ｂが係合されるようにしている。１５は該プランジャー１２の外周に設けられ該プランジャーを前方に突出させるように付勢するコイル状のバネ部材である。
【０００９】
３０は環状の起動カム体で、該起動カム体はプランジャー１２の外周に貫挿しフランジ１３に当接させることによりプランジャー１２の外周に実質的に固定状に設けられる。また、３５は環状の回転子で、該回転子は起動カム体３０の後側でプランジャー１２の外周に回転自在に貫挿される。起動カム体３０は、図５の斜視図、および図６の正面図、図７の側面図、図８の後面図から分かるように、回転子３５との対向面に定ピッチ角（３０度の定角間隔）で山部３１と谷部３２とがジグザグ状に連なる菊花状凹凸面３３が形成されている。また、該起動カム体３０の山部３１に相当する外周縁に１２０度のピッチ角にて３つの突起３４が一体に形成されたものである。回転子３５は、図４の斜視図、および図９の正面図、図１０の側面図、図１１の後面図から分かるように、前記突起３４と同様に外周縁に１２０度のピッチ角にて３つの係合片３６が突設され、該係合片３６は起動カム体３０と相対する該回転子３５の前面方向にも突出していてその突出面３６ａを一回転方向に傾斜する斜面状に形成している。
【００１０】
機枠体２０には、起動カム体３０および回転子３５を軸方向に進退自在に支持する筒状部２３が一体に形成され、該筒状部２３は図４、図５の斜視図、および図１２の後面図から分かるように、スリット３７を前記菊花状凹凸面３３のピッチ角の４倍のピッチ角（即ち、１２０度の定角間隔）で形成することにより円弧状に分断され、分断された各円弧状部２３ａ〜２３ｃの一端縁（この場合は後端縁）に第１斜面３８ａと第２斜面３８ｂとからなり山頂部３９ａと谷底部３９ｂが形成される２ピッチ分の鋸歯状斜面３８を形成してなる。そして、前記係合片３６が該スリット３７に遊嵌または該鋸歯状斜面３８に当接し得るようにすると共に、バネ部材１５の弾性により回転子３５を前方に押圧し該回転子を起動カム体３０の菊花状凹凸面３３に圧接させてなる。
【００１１】
このため、いま図１に示したようにソレノイド１１が消磁しバネ部材１５の弾性によりプランジャー１２が進出状態にあり、可動部材３の先端部５が流下通路２に突出しパチンコ球８の流下が阻止されているときに、該ソレノイド１１に電流を流して励磁させプランジャー１２をバネ部材１５の弾性に抗して後退動させ、可動部材３を牽引することにより、図２に示したように、先端部５が流下通路２から没し、該流下通路中のパチンコ球８が自重で流下して遊技機前面に払い出されるようになる。このとき、即ち、ソレノイド１１を励磁させプランジャー１２がバネ部材１５の弾性に抗して後退動する際に、起動カム体３０は回転子３５を押圧することから該回転子３５に回転トルクを生じさせ、該回転子３５の係合片３６がスリット３７から抜け出たときに該回転子３５は図１３に示した矢印方向に微動回転する。そして、該ソレノイド１１を消磁すると、バネ部材１５の弾性により該係合片３６が第１斜面３８ａに圧接されることから該係合片３６は該第１斜面３８ａを摺動し該回転子３５をさらに同方向に微動回転させ、図１４に示したように該係合片３６を谷底部３９ｂにて停止させる。このため、ソレノイド１１を消磁させてもバネ部材１５によるプランジャー１２の復帰進出動が阻止され、可動部材３が図２に示した払出状態に保持される。なお、起動カム体３０の突起３４はソレノイド１１を励磁させたときも消磁させたときも常にスリット３７中にあるために回転することなくプランジャー１２と一体的に進退動する。
【００１２】
そして次にまたソレノイド１１を励磁させ、プランジャー１２を後退動させると、起動カム体３０が回転子３５を再び押圧し該回転子３５の係合片３６を谷底部３９ｂから山頂部３９ａに移動させると共に、該回転子３５に同方向の回転トルクを生じさせる。このため、回転子３５はさらに同方向に微動回転する。そして、ソレノイド１１を消磁すると、バネ部材１５の弾性により該係合片３６が第２斜面３８ｂに圧接されることから該係合片３６は該第２斜面３８ｂを摺動し該回転子３５をさらに同方向に微動回転させて該係合片３６を次のスリット３７に遊嵌させる。このためプランジャー１２はバネ部材１５の弾性により図１に示した状態、即ち、可動部材３の先端部５が流下通路２に突出しパチンコ球８の流下が阻止された状態に復帰する。
【００１３】
このように、ラッチ機構１０は、ソレノイド１１を励磁させプランジャー１２がバネ部材１５の弾性に抗して後退動する度に菊花状凹凸面３３が回転子３５を押圧することで該回転子を回転させると共に、回転した該回転子の係合片３６がソレノイド１１を消磁させた際にバネ部材１５の弾性により鋸歯状斜面３８に圧接されることで該回転子が該鋸歯状斜面に沿ってさらに同方向に回転し、かくしてソレノイド１１の励磁・消磁が繰り返される毎に該回転子の回転状態に従い１回置きに係合片３６がスリット３７に遊嵌したり円弧状部２３ａ〜２３ｃの一端縁に留まることでプランジャー１２がバネ部材１５の弾性に抗して後退状態に機械的に保持されるようにしたことで、ソレノイド１１の励磁を解いても可動部材３が図２に示した払出状態に保持される。このため多数のパチンコ球８を払い出す場合でも該ソレノイド１１を長時間通電状態にする必要がなく、長時間通電による該ソレノイド１１の過熱を防止することができる。
【００１４】
なお、この実施形態では、ソレノイド１１を励磁させることによりプランジャー１２が後退動する構成としたが、ソレノイドを励磁させることによりプランジャーが進出動するものとし、ラッチ機構がそのプランジャーの進出状態を機械的に保持するような構成としてもよい。即ち、本発明では、励磁することによりプランジャーを進出動させるソレノイドでも、後退動させるソレノイドでも使用することができる。
【００１５】
また、以上の実施形態は、可動部材３の動きによってパチンコ球を直接遮断する払出装置について説明したが、パチンコ球の流下通路にパチンコ球の自重により回転するスプロケット状のローターが設けられ、該ローターの回転をソレノイドを作動させることにより可動部材が制動するように構成することで、パチンコ球の流下が遮断されるように構成した払出装置にも本発明を適用することができる。
【００１６】
また、本発明にて使用されるラッチ機構は、上記実施形態で示した構造の他、図１５の斜視図および図１６の側面図に示したような構造とすることもできる。即ち、この実施形態は、ラッチ機構２４をソレノイド１１上に固設すると共に、該ラッチ機構２４に係脱し得る係合突起部５０を可動部材３の一部に形成したものである。該ラッチ機構２４は、図１７，図１８に構造を示すように、前面が開口した長方形状のケース５１と、前端面に開閉自在なる一対の爪片５２，５２を一体に形成した摺動体５３と、該摺動体の上面に軸６１を支点として水平面内で回転自在なるように軸支した回転片５４と、コイルバネ５５とからなり、摺動体５３はケース５１内に前後方向に進退自在に配置されると共に、コイルバネ５５により前方に付勢される。５６は該摺動体５３の進退範囲を制限するために該摺動体５３の上面に突設され該ケース５１の長孔５７に遊嵌したピンである。回転片５４は長方形板状であってその両端部をＶ字形に切り欠いて凹部５４ａ，５４ｂを形成したものである。また、摺動体５３が後退したときに該凹部５４ａ，５４ｂに当接し得る突起５８，５９をケース５１の後壁面に形成すると共に、摺動体５３が前進したときに該凹部５４ａ，５４ｂに当接し得る突起６０をケース５１の上壁内面に形成している。なお、その他、前記実施形態と同一符号は同一部分を示す。
【００１７】
このラッチ機構２４では、ソレノイド１１を励磁し図１９に示したようにプランジャー２５をバネ部材２６の弾性に抗して後退動させることで、可動部材３が引っ張られ先端部５が流下通路２から没し、該流下通路中のパチンコ球８が自重で流下して遊技機前面に払い出される。そしてそのとき可動部材３に形成された係合突起部５０が摺動体５３を押圧し、該摺動体５３はコイルバネ５５の弾性に抗してケース５１中に押し込まれることから爪片５２，５２の間隔が狭まり係合突起部５０が該爪片５２，５２により抱持されると共に、該摺動体５３がケース５１中に押し込まれると回転片５４が突起５８に当たって図２１に矢印で示した方向に微動回転する。この状態でソレノイド１１が消磁されると、バネ部材２６の弾性により伝動部材１４が押されて係合突起部５０が摺動体５３から離れようとするが、摺動体５３は図２２に示したように、凹部５４ａに突起６０が係合することで前進が阻まれ、係合突起部５０は爪片５２，５２によって抱持されたままとなる。このため、ソレノイド１１が消磁されても図２０に示したように可動部材３は引っ張られ先端部５が流下通路２から没した状態に保持される。
【００１８】
そして次にまたソレノイド１１を励磁させることによりプランジャー２５を後退動させ、係合突起部５０が摺動体５３を押圧すると、図２３に示したように、回転片５４が突起５９に当たって微動回転し凹部５４ａと突起６０との係合が外れることから、この状態でソレノイド１１が消磁されると、コイルバネ５５の弾性により摺動体５３が前進し、図１７に示したように爪片５２，５２を突出させ両爪片の間隔が開くことから係合突起部５０の抱持が解かれ、図１６に示した状態に復帰する。このため、摺動体５３が進退動する度に回転片５４が図示矢印方向に回転し、上記係合とその解除が繰り返されることから、この実施形態の場合もソレノイド１１を短時間通電するだけで、可動部材３を払出状態に保持することができる。
【００１９】
このように本発明では、遊技媒体払出装置の形式を問わずラッチ機構を設けることにより、ソレノイドの励磁を解いても可動部材が保持されるので、ソレノイドを短時間通電するだけで、払出状態に保持したり、遮断状態にすることができる。このため、ソレノイドの発熱を最小限にでき、過熱によって吸引力が弱くなったり、熱変形等を生じさせ故障や発火を起こすようなおそれがない。また、このソレノイドは普通のオン・オフ制御により作動させられるので、制御回路を複雑にすることもなく簡単に使用することができる。このためコストも軽減されるなど有益である。
【００２０】
なお、本発明はこの実施形態に示したパチンコ球払出装置に限らず、メダル払出装置のようなその他の遊技媒体払出装置にも適用することができる。また、パチンコ球を遊技媒体とするスロットマシンにおいて、その前面の球供給皿に設けられて賭数に応じて取り込む球取込装置の他、遊技機と遊技機の間に設けられる球貸機や遊技機裏面の球タンクへの球補給機としても適用することができる。
【図面の簡単な説明】
【００２１】
【図１】本発明に係る遊技機の遊技媒体払出装置の縦断面図。
【図２】図１の作動状態図。
【図３】本発明に係る遊技機の遊技媒体払出装置の可動部材の斜視図。
【図４】本発明に係る遊技機の遊技媒体払出装置の要部の分解斜視図。
【図５】本発明に係る遊技機の遊技媒体払出装置の要部の分解斜視図。
【図６】本発明に係る遊技媒体払出装置の起動カム体の正面図。
【図７】本発明に係る遊技媒体払出装置の起動カム体の側面図。
【図８】本発明に係る遊技媒体払出装置の起動カム体の後面図。
【図９】本発明に係る遊技媒体払出装置の回転子の正面図。
【図１０】本発明に係る遊技媒体払出装置の回転子の側面図。
【図１１】本発明に係る遊技媒体払出装置の回転子の後面図。
【図１２】本発明に係る遊技媒体払出装置の機枠体の後面図。
【図１３】図１のＡ−Ａ線断面矢視図。
【図１４】図２のＢ−Ｂ線断面矢視図。
【図１５】本発明に係るソレノイド駆動型可変入賞装置の他の実施形態を示した要部の斜視図。
【図１６】本発明に係るソレノイド駆動型可変入賞装置の他の実施形態を示した要部の側面図。
【図１７】本発明に係るソレノイド駆動型可変入賞装置のラッチ機構の他の実施形態を示した水平断面図。
【図１８】本発明に係るソレノイド駆動型可変入賞装置のラッチ機構の他の実施形態を示した縦断面図。
【図１９】図１６の作動状態図。
【図２０】図１６の作動状態図。
【図２１】図１７の作動状態図。
【図２２】図１７の作動状態図。
【図２３】図１７の作動状態図。
【符号の説明】
【００２２】
１                組付ケース
２                流下通路
３                可動部材
８                パチンコ球（遊技媒体）
１０              ラッチ機構
１１              ソレノイド
１２              プランジャー
２０              機枠体
１５              バネ部材
３０              起動カム体
３３              菊花状凹凸面
３４              突起
３５              回転子
３６              係合片
３７              スリット
２３ａ〜２３ｃ    円弧状部
３８              鋸歯状斜面
３８ａ            第１斜面
３８ｂ            第２斜面
３９ａ            山頂部
３９ｂ            谷底部
【図１】
2008284221.tif 000003
【図２】
2008284221.tif 000004
【図３】
2008284221.tif 000005
【図４】
2008284221.tif 000006
【図５】
2008284221.tif 000007
【図６】
2008284221.tif 000008
【図７】
2008284221.tif 000009
【図８】
2008284221.tif 000010
【図９】
2008284221.tif 000011
【図１０】
2008284221.tif 000012
【図１１】
2008284221.tif 000013
【図１２】
2008284221.tif 000014
【図１３】
2008284221.tif 000015
【図１４】
2008284221.tif 000016
【図１５】
2008284221.tif 000017
【図１６】
2008284221.tif 000018
【図１７】
2008284221.tif 000019
【図１８】
2008284221.tif 000020
【図１９】
2008284221.tif 000021
【図２０】
2008284221.tif 000022
【図２１】
2008284221.tif 000023
【図２２】
2008284221.tif 000024
【図２３】
2008284221.tif 000025